(57)【特許請求の範囲】
【請求項１】
画像形成装置により画像が形成されて巻取装置により巻き取られたロール紙の径を取得する取得部と、
前記画像形成装置に対して画像群の形成が指示された場合に、当該画像群の形成が開始されたときに取得された第１の径と当該形成が終了したときに取得された第２の径とに基づいて、巻き取られた前記ロール紙のうち当該画像群が形成されている部分を表すロール紙画像を表示部に表示させる第１表示制御部と
を備える情報処理装置。
【請求項２】
前記第１表示制御部は、互いの径の比率が前記第１の径及び前記第２の径の比率となる第１の円及び第２の円を同心で表した画像を前記ロール紙画像として表示させる
請求項１に記載の情報処理装置。
【請求項３】
前記第１表示制御部は、巻き取られた前記ロール紙を広げた状態を表す画像であって、当該広げた状態のロール紙のうち前記画像群が形成されている部分を識別可能に表す画像を前記ロール紙画像として表示させる
請求項１に記載の情報処理装置。
【請求項４】
前記第１表示制御部は、前記ロール紙画像が表すロール紙の縮尺を表す目盛画像を前記ロール紙画像とともに表示させる
請求項１から３のいずれか１項に記載の情報処理装置。
【請求項５】
前記第１表示制御部が表示させたロール紙画像のうちユーザが指し示した位置に対応する前記ロール紙の位置に形成されている画像を前記表示部に表示させる第２表示制御部を備える
請求項１から４のいずれか１項に記載の情報処理装置。
【請求項６】
前記第１表示制御部は、前記ロール紙のうち画像が形成されていない部分を表す画像を前記ロール紙画像として表示させる
請求項１から５のいずれか１項に記載の情報処理装置。
【発明の詳細な説明】
【技術分野】
【０００１】
本発明は、情報処理装置に関する。
【背景技術】
【０００２】
特許文献１には、ロール紙の両面に印字可能なプリンタの印刷出力前のプレビュー画面において、ユーザが操作すると表面の印字イメージから裏面の印字イメージに切り替えて表示する技術が開示されている。
【先行技術文献】
【特許文献】
【０００３】
【特許文献１】特開２０１５−００７９５７号公報
【発明の概要】
【発明が解決しようとする課題】
【０００４】
高速な印刷装置では画像が印刷されたロール紙を巻き取る方式が取られている。この場合、カット紙に印刷するよりも生産性が高くなるが、ロール状に巻き取られたロール紙では紙を途中でめくることができないため、印刷された画像群の位置を確認することが困難である。
そこで、本発明は、巻き取られたロール紙に印刷されている画像群の位置を示すことを目的とする。
【課題を解決するための手段】
【０００５】
本発明の請求項１に係る情報処理装置は、画像形成装置により画像が形成されて巻取装置により巻き取られたロール紙の径を取得する取得部と、前記画像形成装置に対して画像群の形成が指示された場合に、当該画像群の形成が開始されたときに取得された第１の径と当該形成が終了したときに取得された第２の径とに基づいて、巻き取られた前記ロール紙のうち当該画像群が形成されている部分を表すロール紙画像を表示部に表示させる第１表示制御部とを備えることを特徴とする。
【０００６】
本発明の請求項２に係る情報処理装置は、請求項１に記載の構成において、前記第１表示制御部は、互いの径の比率が前記第１の径及び前記第２の径の比率となる第１の円及び第２の円を同心で表した画像を前記ロール紙画像として表示させることを特徴とする。
【０００７】
本発明の請求項３に係る情報処理装置は、請求項１に記載の構成において、前記第１表示制御部は、巻き取られた前記ロール紙を広げた状態を表す画像であって、当該広げた状態のロール紙のうち前記画像群が形成されている部分を識別可能に表す画像を前記ロール紙画像として表示させることを特徴とする。
【０００８】
本発明の請求項４に係る情報処理装置は、請求項１から３のいずれか１項に記載の構成において、前記第１表示制御部は、前記ロール紙画像が表すロール紙の縮尺を表す目盛画像を前記ロール紙画像とともに表示させることを特徴とする。
【０００９】
本発明の請求項５に係る情報処理装置は、請求項１から４のいずれか１項に記載の構成において、前記第１表示制御部が表示させたロール紙画像のうちユーザが指し示した位置に対応する前記ロール紙の位置に形成されている画像を前記表示部に表示させる第２表示制御部を備えることを特徴とする。
【００１０】
本発明の請求項６に係る情報処理装置は、請求項１から５のいずれか１項に記載の構成において、前記第１表示制御部は、前記ロール紙のうち画像が形成されていない部分を表す画像を前記ロール紙画像として表示させることを特徴とする。
【発明の効果】
【００１１】
請求項１に係る発明によれば、巻き取られたロール紙に印刷されている画像群の位置を示すことができる。
請求項２に係る発明によれば、巻き取られたロール紙を回転軸に沿った方向に見た場合の、形成されている画像群の位置を示すことができる。
請求項３に係る発明によれば、巻き取られたロール紙を展開した場合の、形成されている画像群の位置を示すことができる。
請求項４に係る発明によれば、各画像群が形成されている部分の実際のロール紙における位置の目安をユーザに伝えることができる。
請求項５に係る発明によれば、ロール紙画像でユーザが指し示した位置に対応するロール紙の位置に実際に形成されている画像をユーザに伝えることができる。
請求項６に係る発明によれば、巻き取られたロール紙において画像が形成されていない部分の位置を示すことができる。
【図面の簡単な説明】
【００１２】
【図１】実施例に係る画像形成システムの全体構成を表す図
【図２】ＵＩ装置のハードウェア構成を表す図
【図３】ＵＩ装置の機能構成を表す図
【図４】ロール紙状態テーブルの一例を表す図
【図５】表示されたロール紙画像の一例を表す図
【図６】ロール紙長さテーブルの一例を表す図
【図７】表示される実画像の一例を表す図
【図８】巻き取り半径の取得処理における動作手順の一例を表す図
【図９】ロール紙画像の表示処理における動作手順の一例を表す図
【図１０】実画像の表示処理における動作手順の一例を表す図
【図１１】表示されたロール紙展開画像の一例を表す図
【図１２】変形例のロール紙画像の一例を表す図
【図１３】事象に対応付けて記憶されたロール紙の半径の例を表す図
【図１４】変形例の実画像の一例を表す図
【図１５】頁数テーブルの一例を表す図
【図１６】変形例の画像形成システムの全体構成を表す図
【発明を実施するための形態】
【００１３】
［１］実施例
図１は実施例に係る画像形成システム１の全体構成を表す。画像形成システム１は、連続した画像形成が可能な連続用紙に画像を形成するシステムである。画像形成システム１は、特に、回転軸を中心に回転する巻き芯に連続用紙をロール状に巻いたロール紙に画像を形成する。画像形成システム１は、用紙供給装置１０と、画像形成装置２０と、用紙巻取装置３０と、ＵＩ（User Interface）装置４０とを備える。これらの装置は図示せぬ通信回線によって接続されている。
【００１４】
用紙供給装置１０は、連続用紙を画像形成装置２０に供給する装置である。用紙供給装置１０は、回転部１１と、搬送部１２とを備える。回転部１１は、ロール紙Ｐ１の巻き芯を回転させてその巻き芯に巻かれているロール紙Ｐ１を搬送部１２に向けて送り出す。搬送部１２は、ローラを有し、回転部１１から送り出されてきたロール紙Ｐ１を画像形成装置２０に向けて搬送する。
【００１５】
画像形成装置２０は、連続用紙に画像を形成する画像形成部２１を備え、用紙供給装置１０から供給されたロール紙Ｐ１に画像を形成する。画像形成部２１は、画像を形成したロール紙Ｐ１を用紙巻取装置３０に向けて搬送する。
【００１６】
用紙巻取装置３０は、画像形成装置２０から搬送されてきたロール紙Ｐ１を、巻き芯を中心としてロール状に巻き取る。用紙巻取装置３０は本発明の「巻取装置」の一例である。用紙巻取装置３０は、搬送部３１と、回転部３２と、センサ部３３とを備える。搬送部３１は、画像形成装置２０から搬送されてきたロール紙Ｐ１を回転部３２まで搬送する。回転部３２は、自身に取り付けられた巻き芯を、回転軸Ｊ１を中心に回転させてその巻き芯に搬送されてきたロール紙Ｐ１を巻き取らせる。
【００１７】
センサ部３３は、回転部３２により巻き取られたロール紙Ｐ１の径（本実施例では半径）を測定するためのセンサを有する。センサ部３３は、例えば、ロール紙Ｐ１に光等を照射して、その反射光に基づいて巻き取られたロール紙Ｐ１との距離を測定する。センサ部３３は、回転部３２に取り付けられた巻き芯の中心から自身までの距離を記憶しており、その距離から測定した距離を減算した値をロール紙Ｐ１の半径として測定する。センサ部３３は、決められた時間間隔で測定を繰り返し行い、その度に測定結果（巻き取られたロール紙Ｐ１の半径）をＵＩ装置４０に送信する。
【００１８】
ＵＩ装置４０は、画像形成システム１を利用するユーザのインターフェースとして用いられる装置である。ＵＩ装置４０は、画像形成システム１に対する操作の受け付けや画像形成システム１が生成する情報の表示などを行う。また、ＵＩ装置４０は、センサ部３３から送信されてきた測定結果に基づいてロール紙Ｐ１の状態を表すロール紙画像を表示する。ロール紙画像については後ほど詳しく説明する。
【００１９】
図２はＵＩ装置４０のハードウェア構成を表す。ＵＩ装置４０は、ＣＰＵ（Central Processing Unit）４１と、ＲＡＭ（Random Access Memory）４２と、ＲＯＭ（Read Only Memory）４３と、ＨＤＤ（Hard Disk Drive）４４と、Ｉ／Ｆ（Interface）４５と、ＮＩＣ（Network Interface Card）４６と、ＵＩ部４７とを備えるコンピュータである。ＣＰＵ４１が、ＲＡＭ４２をワークエリアとして用いてＲＯＭ４３やＨＤＤ４４に記憶されているプログラムを実行することによって各部の動作を制御する。
【００２０】
ＨＤＤ４４は、ＣＰＵ４１が制御に用いるデータやプログラムを記憶している。Ｉ／Ｆ４５は、用紙供給装置１０、画像形成装置２０及び用紙巻取装置３０とデータをやり取りする際のインターフェースである。ＮＩＣ４６は、通信回路を有し、図示せぬ通信回線を介して外部装置と通信を行う。ＵＩ部４７は、ディスプレイ及びそのディスプレイの表示面に重ねられたタッチパネルとを備え、画像の表示とユーザの操作の受け付けとを行う。ＵＩ部４７は本発明の「表示部」の一例である。
【００２１】
ＵＩ装置４０のＣＰＵ４１がプログラムを実行することで図３に表す機能が実現される。
図３はＵＩ装置４０の機能構成を表す。ＵＩ装置４０は、画像形成制御部４０１と、ロール紙径取得部４０２と、ロール紙画像表示制御部４０３と、指示位置情報取得部４０４と、実画像表示制御部４０５とを備える。
【００２２】
画像形成制御部４０１は、画像形成部２１による画像形成を制御する。画像形成制御部４０１は、例えば外部装置から画像形成の対象である画像群を表す画像データが送信されてくると、その画像データを画像形成部２１が処理する形式の画像データに変換し、変換した画像データを画像形成部２１に供給するとともにその画像データが表す画像の形成を指示する。また、画像形成制御部４０１は、指示した画像群の形成が完了すると、次の画像群の形成を指示する。画像形成制御部４０１は、画像群の形成を開始させたときとその画像群の形成が完了したときとに、それらの旨をロール紙画像表示制御部４０３に通知する。
【００２３】
ロール紙径取得部４０２は、画像形成装置２０により画像が形成されて用紙巻取装置３０により巻き取られたロール紙の径（本実施例では半径）を取得する。ロール紙径取得部４０２は本発明の「取得部」の一例である。ロール紙径取得部４０２は、センサ部３３から送信されてくる上述した測定結果（ロール紙Ｐ１の半径）を、上記ロール紙の径として取得する。ロール紙径取得部４０２は取得したロール紙の径をロール紙画像表示制御部４０３に供給する。
【００２４】
ロール紙画像表示制御部４０３は、画像形成制御部４０１により画像形成装置２０に対して画像群の形成が指示された場合に、用紙巻取装置３０により巻き取られたロール紙のうちその画像群が形成されている部分を表すロール紙画像を図２に表すＵＩ部４７に表示させる。ロール紙画像表示制御部４０３は本発明の第１表示制御部の一例である。
【００２５】
ロール紙画像表示制御部４０３は、指示された画像群の画像形成が開始されたときに取得された第１の径（本実施例では第１の半径）とその画像形成が終了したときに取得された第２の径（本実施例では第２の半径）とに基づいてロール紙画像を表示させる。ロール紙画像表示制御部４０３は、ロール紙径取得部４０２から供給されるロール紙の巻き取り径と、画像群の画像形成の状態とを対応付けたロール紙状態テーブルを記憶する。
【００２６】
図４はロール紙状態テーブルの一例を表す。図４の例では、画像形成が終了している画像群Ｇ０１、Ｇ０２、Ｇ０３と、画像形成が途中である画像群Ｇ０４と（画像群Ｇ０１が最初に画像形成を指示され、画像群Ｇ０４が最後に画像形成を指示されている）に対して、取得されたロール紙の半径、すなわちロール紙の巻き取り半径が対応付けられている。例えば画像群Ｇ０１には、画像形成開始時巻き取り半径として「５ｃｍ」が、画像形成終了時の巻き取り半径として「５５ｃｍ」が対応付けられている。
【００２７】
この画像形成開始時巻き取り半径は、指示された画像群の画像形成が開始されたときに取得されたロール紙の半径、すなわち「第１の半径」の一例である。また、画像形成終了時の巻き取り半径は、その画像形成が終了したときに取得されたロール紙の半径、すなわち「第２の半径」の一例である。
【００２８】
同様に、画像群Ｇ０２には「５５ｃｍ」及び「７５ｃｍ」が、画像群Ｇ０３には「７５ｃｍ」及び「１１０ｃｍ」が、画像形成開始時巻き取り半径及び画像形成終了時の巻き取り半径として対応付けられている。また、画像群Ｇ０４には「１１０ｃｍ」が画像形成開始時巻き取り半径として対応付けられているが、画像形成が終了していないので、画像形成終了時の巻き取り半径は対応付けられていない。ロール紙画像表示制御部４０３はこのように記憶したロール紙状態テーブルに基づいてロール紙画像を表示させる。
【００２９】
図５は表示されたロール紙画像の一例を表す。図５の例では、画像群Ｇ０１、Ｇ０２、Ｇ０３、Ｇ０４が形成されている部分を表すロール紙画像Ｒ１が表されている。ロール紙画像Ｒ１には、巻き芯の外周を表す外周円Ｃ１と、ロール紙のうち画像群Ｇ０１が形成されている部分の外周を表す外周円Ｃ２とが表されている。外周円Ｃ１は、ロール紙のうち画像群Ｇ０１が形成されている部分の内周を表す円ともなっている。
【００３０】
つまり、外周円Ｃ１は、画像群Ｇ０１の画像形成が開始されたときに取得されたロール紙の半径、すなわち上述した第１の半径の円を表し、外周円Ｃ２は、画像群Ｇ０１の画像形成が終了したときに取得されたロール紙の半径、すなわち上述した第２の半径の円を表す。ロール紙画像表示制御部４０３は、図４に表すロール紙状態テーブルに記憶した画像形成開始時巻き取り半径（第１の半径）及び画像形成終了時の巻き取り半径（第２の半径）に基づいて巻き取り外周円Ｃ１及び外周円Ｃ２を表示させる。
【００３１】
より詳細には、ロール紙画像表示制御部４０３は、互いの径の比率が第１の径及び第２の径の比率となる第１の円（図５の例では外周円Ｃ１）及び第２の円（図５の例では外周円Ｃ２）を同心で表した画像をロール紙画像として表示させる。画像群Ｇ０１の場合、第１の径が５ｃｍで第２の径が５５ｃｍであるから、外周円Ｃ１の半径ｒ１と外周円Ｃ２の半径ｒ２の比率が５：５５（１：１１）となっている。
【００３２】
画像群Ｇ０２の場合は、第１の径が５５ｃｍで第２の径が７５ｃｍであるから、外周円Ｃ２の半径ｒ２と外周円Ｃ３の半径ｒ３の比率が５５：７５（１１：１５）となっている。画像群Ｇ０３の場合は、第１の径が７５ｃｍで第２の径が１１０ｃｍであるから、外周円Ｃ３の半径ｒ３と外周円Ｃ４の半径ｒ４の比率が７５：１１０（１５：２２）となっている。
【００３３】
外周円Ｃ１及びＣ２に挟まれた部分はロール紙のうち画像群Ｇ０１が形成されている部分を表している。この部分には形成されている画像群を表す文字（この例では「Ｇ０１」）が表されている。同様に、外周円Ｃ２及びＣ３に挟まれた部分は画像群Ｇ０２が形成されている部分を表し、外周円Ｃ３及びＣ４に挟まれた部分は画像群Ｇ０３が形成されている部分を表している。本実施例では、このようにロール紙画像を表示することで、巻き取られたロール紙に形成されている画像群の位置（より詳細には巻き取られたロール紙を回転軸Ｊ１に沿った方向に見た場合の位置）が示される。
【００３４】
なお、画像群Ｇ０４の場合は、第１の径が１１０ｃｍであるが、画像形成が終了していないので第２の径がまだ決まっていない。この場合、ロール紙画像表示制御部４０３は、ロール紙画像を表示する際に取得されたロール紙の径を第３の径として、第２の径の代わりに第３の径を用いてロール紙画像を表示させる。具体的には、ロール紙画像表示制御部４０３は、互いの径の比率が第１の径及び第３の径の比率となる第１の円（図５の例では外周円Ｃ４）及び第３の円（図５の例では外周円Ｃ５）を同心で表した画像をロール紙画像として表示させる。
【００３５】
図５の例では、ロール紙画像を表示する際に取得されたロール紙の径が１３０ｃｍであったとする。この場合、第１の径が１１０ｃｍで第２の径が１３０ｃｍであるから、外周円Ｃ４の半径ｒ４と外周円Ｃ５の半径ｒ５の比率が１１０：１３０（１１：１３）となっている。また、ロール紙画像表示制御部４０３は、第３の円を第１の円及び第２の円とは異なる態様で表示させる。ロール紙画像表示制御部４０３は、図５の例では、第１の円及び第２の円を実線で表示させ、第３の円を二点鎖線で表示させている。これにより、最も外側に表される画像群の画像形成が終了したか否かが表されるようになっている（実線であれば終了しており、二点鎖線であれば終了していないことが表される）。
【００３６】
また、ロール紙画像表示制御部４０３は、ロール紙画像が表すロール紙の縮尺を表す目盛画像をロール紙画像とともに表示させている。図５の例では、ロール紙の半径が「０ｃｍ」、「５０ｃｍ」、「１００ｃｍ」の位置を表す目盛画像Ｍ１が表示されている。これにより、各画像群が形成されている部分の実際のロール紙における位置の目安がユーザに伝えられることになる。
【００３７】
指示位置情報取得部４０４は、ロール紙画像表示制御部４０３が表示させたロール紙画像のうちユーザが指し示した位置を表す情報（以下「指示位置情報」という）を取得する。指示位置情報取得部４０４は、例えば、ロール紙画像表示制御部４０３からロール紙画像に含まれる外周円の中心の座標を取得して、ロール紙画像が表示されている状態でユーザが指し示した位置の座標と外周辺の中心の座標との距離を算出する。指示位置情報取得部４０４は、算出した距離が最も外側の外周円の半径（図５の例であれば外周円Ｃ５の半径ｒ５）以下であれば、ロール紙画像上のいずれかの位置が指し示されたと判断し、その距離を指示位置情報として取得し、実画像表示制御部４０５に供給する。
【００３８】
実画像表示制御部４０５は、指示位置情報が表す位置に対応するロール紙の位置に実際に形成されている画像（以下「実画像」という）をＵＩ部４７に表示させる。実画像表示制御部４０５は本発明の第２表示制御部の一例である。実画像表示制御部４０５は、指示位置情報取得部４０４から指示位置情報が供給されると、画像形成制御部４０１からロール紙に形成されている画像群の情報として、各画像群のページ数及び各ページのサイズを取得する。
【００３９】
実画像表示制御部４０５は、供給された指示位置情報が表す距離、すなわち外周円の中心とユーザが指し示した位置との距離に基づいて、巻き取られているロール紙の内側の端からユーザが指し示した位置までのロール紙の長さを算出する。ロール紙の厚さ及び巻き芯の径が決まっていれば、指示位置情報が表す距離とそこまでのロール紙の長さとは対応付けが可能であるから、実画像表示制御部４０５は、例えばその対応付けを表したロール紙長さテーブルを用いてこの計算を行う。
【００４０】
図６はロール紙長さテーブルの一例を表す。図６の例では、指示位置情報が表す距離を実際のロール紙における距離で表している。例えば指示位置情報が巻き芯の半径である５ｃｍを表している場合はロール紙長さが０ｍとなっている。また、指示位置情報が５５ｃｍを表す場合はロール紙長さが８００ｍ、指示位置情報が１１０ｃｍを表す場合はロール紙長さが３０００ｍとなっている。このロール紙長さテーブルは、本実施例では予め作成されているものが用いられる。
【００４１】
図７は表示される実画像の一例を表す。図７（ａ）では、ロール紙画像Ｒ１のうちユーザが指し示した位置を表すユーザ指示位置画像Ａ１が表されている。指示位置情報取得部４０４は、外周円の中心とユーザ指示位置との距離ｒａ１を指示位置情報として取得する。実画像表示制御部４０５は、取得された指示位置情報にロール紙長さテーブルで対応付けられているロール紙長さを、ユーザが指し示した位置までのロール紙長さとして算出する。
【００４２】
また、実画像表示制御部４０５は、取得されたものと一致する指示位置情報がロール紙長さテーブルに含まれていなければ、その前後の指示位置情報と取得された指示位置情報とに基づいてロール紙長さを算出する。例えば１０５ｃｍ及び２７００ｍと、１００ｃｍ及び３０００ｍという指示位置情報及びロール紙長さの組がロール紙長さテーブルに含まれていて、１０７ｃｍという指示位置情報が取得された場合、実画像表示制御部４０５は、２７００ｍ＋（３０００ｍ−２７００ｍ）÷（１１０ｃｍ−１０５ｃｍ）×（１０７ｃｍ−１０５ｃｍ）＝２８２０ｍをロール紙長さとして算出する。
【００４３】
実画像表示制御部４０５は、前述のとおり取得した画像群の情報と算出したロール紙長さに基づいて実画像を特定する。実画像表示制御部４０５は、例えばロール紙のうち１頁の画像が形成される部分の長手方向の長さが１／３ｍであり、画像群Ｇ０１が２４００頁、画像群Ｇ０２が１８００頁、画像群Ｇ０３が４８００頁という画像群の情報を取得した場合には、（２８２０ｍ−２４００頁×１／３ｍ−１８００頁×１／３ｍ）÷１／３ｍ＝４２６０頁を算出する。実画像表示制御部４０５は、画像群Ｇ０３における算出した頁の画像を上記の実画像として特定する。
【００４４】
実画像表示制御部４０５は、上記のとおり特定した実画像（上記例では４２６０頁の画像）と、その前後の画像とを含む実画像群Ｄ１を図７（ｂ）に表すように表示させる。また、実画像表示制御部４０５は、表示させた実画像群Ｄ１に含まれる各画像の頁数Ｎ１を表示させている。また、実画像表示制御部４０５は、表示させた実画像群Ｄ１よりも後の画像群を表示させるための操作子画像Ｂ１と、表示させた実画像群Ｄ１よりも前の画像群を表示させるための操作子画像Ｂ２とを表示させている。これらの操作子画像が操作されると、実画像表示制御部４０５は、操作された側の画像群（例えば操作子画像Ｂ１が操作された場合は４２６３頁〜４２６７頁の画像群）を表示させる。上記のとおり実画像が表示されることで、ロール紙画像でユーザが指し示した位置に対応するロール紙の位置に実際に形成されている画像がユーザに伝えられる。
【００４５】
以下、図８から図１０を参照してＵＩ装置４０の動作について説明する。
図８は巻き取り半径の取得処理における動作手順の一例を表す。この動作手順は、画像群の画像形成が指示されることを契機に開始される。ＵＩ装置４０（画像形成制御部４０１）は、まず、画像群の形成指示を受け付けて（ステップＳ１１）、画像形成処理を開始する（ステップＳ１２）。次に、ＵＩ装置４０（ロール紙径取得部４０２）は、ロール紙の半径を取得する（ステップＳ１３）。続いて、ＵＩ装置４０（ロール紙画像表示制御部４０３）は、取得したロール紙の半径を画像形成開始時巻き取り半径として記憶する（ステップＳ１４）。
【００４６】
次に、ＵＩ装置４０（ロール紙径取得部４０２）は、画像形成が終了したか否かの判断を終了した（ＹＥＳ）と判断するまで繰り返し行い（ステップＳ１５）、終了した（ＹＥＳ）と判断するとロール紙の半径を取得する（ステップＳ１６）。続いて、ＵＩ装置４０（ロール紙画像表示制御部４０３）は、取得したロール紙の半径を画像形成終了時巻き取り半径として記憶して（ステップＳ１７）、この動作手順を終了する。
【００４７】
図９はロール紙画像の表示処理における動作手順の一例を表す。この動作手順は、ユーザがロール紙画像を表示させる操作を行うことを契機に開始される。ＵＩ装置４０（ロール紙画像表示制御部４０３）は、まず、ロール紙画像の表示操作を受け付けて（ステップＳ２１）、これまでに形成された画像群の情報を取得する（ステップＳ２２）。
【００４８】
次に、ＵＩ装置４０（ロール紙画像表示制御部４０３）は、図８に表す動作手順で記憶した画像形成開始時巻き取り半径及び画像形成終了時巻き取り半径を読み出す（ステップＳ２３）。そして、ＵＩ装置４０（ロール紙画像表示制御部４０３及びＵＩ部４７）は、取得した画像群の情報及び読み出した各巻き取り半径に基づいてロール紙画像及び目盛画像を表示して（ステップＳ２４）、この動作手順を終了する。
【００４９】
図１０は実画像の表示処理における動作手順の一例を表す。この動作手順は、表示されたロール紙画像のいずれかの位置を指し示す操作をユーザが行うことを契機に開始される。ＵＩ装置４０（指示位置情報取得部４０４）は、まず、ロール紙画像を指し示す指示操作を受け付けて（ステップＳ３１）、ロール紙画像上のいずれかの位置が指示されたか否かを判断し（ステップＳ３２）、指示された（ＹＥＳ）と判断した場合に指示位置情報を取得する（ステップＳ３３）。
【００５０】
次に、ＵＩ装置４０（実画像表示制御部４０５）は、取得された指示位置情報が表す指示位置に形成された実画像を特定する（ステップＳ３４）。そして、ＵＩ装置４０（実画像表示制御部４０５及びＵＩ部４７）は、特定した実画像を含む実画像群を表示して（ステップＳ３５）、この動作手順を終了する。また、ＵＩ装置４０は、ステップＳ３２でロール紙画像ではない位置が指示された（ＮＯ）と判断した場合にも、この動作手順を終了する。
【００５１】
［２］変形例
上述した実施例は本発明の実施の一例に過ぎず、以下のように変形させてもよい。また、実施例及び各変形例は必要に応じて組み合わせて実施してもよい。
【００５２】
［２−１］ロール紙展開画像
ロール紙画像は実施例とは異なっていてもよい。例えば、ロール紙画像表示制御部４０３は、巻き取られたロール紙を広げた状態を表す画像をロール紙画像としてＵＩ部４７に表示させる。より詳細には、ロール紙画像表示制御部４０３は、広げた状態のロール紙のうち画像群が形成されている部分を識別可能に表す画像をロール紙画像として表示させる。こうして表示されるロール紙画像のことを以下では「ロール紙展開画像」という。
【００５３】
図１１は表示されたロール紙展開画像の一例を表す。図１１では、画像群Ｇ０１、Ｇ０２、Ｇ０３、Ｇ０４が形成されている部分を表すロール紙展開画像Ｒ２が表されている。ロール紙展開画像Ｒ２には、ロール紙のうち画像群Ｇ０１が形成されている部分を表す長方形画像Ｒ２１と、同様に画像群Ｇ０２、Ｇ０３、Ｇ０４が形成されている部分をそれぞれ表す長方形画像Ｒ２２、Ｒ２３、Ｒ２４がそれぞれ含まれている。各長方形画像には対応する画像群を表す文字が表されている。
【００５４】
また、図１１では、目盛画像Ｍ２が表されている。目盛画像Ｍ２は、ロール紙の長手方向Ｅ１の長さが「０ｍ」、「１０００ｍ」、「２０００ｍ」、「３０００ｍ」の位置を表している。長方形画像Ｒ２１、Ｒ２２、Ｒ２３、Ｒ２４は、それぞれ長手方向Ｅ１の長さがＬ１、Ｌ２、Ｌ３、Ｌ４となっている。これらの長さは、各画像群が形成されているロール紙の長さを目盛画像Ｍ２が表す縮尺で表している。例えば画像群Ｇ０１が形成されているロール紙の長さは８００ｍで画像群Ｇ０２が形成されているロール紙の長さは６００ｍという具合である。
【００５５】
なお、ロール紙画像表示制御部４０３は、画像形成がまだ終了していない画像群Ｇ０４を表す部分については、画像形成が終了している画像群（Ｇ０１、Ｇ０２、Ｇ０３）を表す部分とは異なる態様で表示させている。図１１の例では、画像群Ｇ０１等は実線の長方形で表され、画像群Ｇ０４は二点鎖線の長方形で表されている。従って、長さＬ４も、ロール紙展開画像Ｒ２が表示されるときまでに画像群Ｇ０４の画像が形成された部分を表している。本変形例によれば、巻き取られたロール紙を展開した場合の、形成されている画像群の位置が示される。
【００５６】
［２−２］画像が形成されない部分の表示
ロール紙には画像が形成されない部分が生じる場合がある。例えば画像形成中に発生した不具合から復旧させる際に画像を形成させずにロール紙を搬送させた場合や、ＲＩＰ（Raster image processor）の処理が遅れた場合、ロール紙の端まで供給されて新たなロール紙を継ぎ足した場合などである。本変形例では、ロール紙画像表示制御部４０３は、そのようにロール紙のうち画像が形成されていない部分（以下「空白部」という）を表す空白部画像をロール紙画像として表示させる。
【００５７】
図１２は本変形例のロール紙画像の一例を表す。図１２の例では、図５に表すロール紙画像Ｒ１のうち画像群Ｇ０３が表されている部分（外周円Ｃ３及びＣ４に挟まれた部分）に空白部画像Ｆ１が表示されている。また、この例では、空白部画像Ｆ１は他の外周円よりも太い線の円で表されており、また、空白部画像Ｆ１を指し示す矢印とそこには画像が形成されていない空白の部分であることを表す「空白部」という文字とが表示されている。
【００５８】
ロール紙画像表示制御部４０３は、空白部が現われる事象が発生すると、その事象が発生したときにロール紙径取得部４０２が取得したロール紙の半径をその事象に対応付けて記憶する。
図１３は事象に対応付けて記憶されたロール紙の半径の例を表す。図１３の例では、「空白（不具合等で画像が形成されなかった事象）」が発生したときに取得された半径が「３０ｃｍ」で、「紙継ぎ目」が発生したときに取得された半径（発生時巻き取り径）が「９０ｃｍ」となっている。ロール紙画像表示制御部４０３は、記憶した発生時巻き取り径を半径とする円を空白部画像として表示させる。このように空白部画像が表示されることで、巻き取られたロール紙において画像が形成されていない部分の位置が示される。
【００５９】
また、ロール紙画像表示制御部４０３は、上述した実画像を表示させる際にも、空白部画像（ロール紙のうち画像が形成されていない部分を表す画像）を表示させる。
図１４は本変形例の実画像の一例を表す。図１４の例では、画像群Ｇ０３の４２６１頁及び４２６２頁を表す実画像群Ｄ３に隣接して、画像が形成されていない空白部画像Ｆ２が表示されている。また、この例では、ロール紙の継ぎ足しが行われており、ロール紙画像表示制御部４０３が、図１４に表すようにロール紙の境目を表す境目画像Ｆ３を表示させている。これにより、ロール紙が継ぎ足されたこと及びその境目の位置が示される。
【００６０】
［２−３］ロール紙長さテーブルの生成
実施例では図６に表すロール紙長さテーブルが予め作成されていたが、ロール紙径取得部４０２により取得されるロール紙の径などの情報に基づいて生成されてもよい。例えば、ロール紙径取得部４０２が取得したロール紙の半径を実画像表示制御部４０５に供給し、それとともに画像形成制御部４０１が媒体に形成した画像の頁数及びサイズの情報を実画像表示制御部４０５に供給する。
【００６１】
実画像表示制御部４０５は、供給された画像の頁数及びサイズの情報からロール紙の長さを算出し、その情報とともに供給された半径の円の面積を算出して、それらを対応付けたテーブルをロール紙長さテーブルとして記憶する。こうして記憶されたロール紙長さテーブルは、ロール紙の厚さが共通していれば別のロール紙に画像が形成される場合でも利用可能である。
【００６２】
［２−４］ロール紙の長さの算出方法
実画像表示制御部４０５は、巻き取られているロール紙の内側の端からユーザが指し示した位置までのロール紙の長さＬ１１を実施例とは異なる方法、すなわちロール紙長さテーブルを用いない方法で算出してもよい。例えば巻き芯の径が無視できるほど小さければ、ロール紙の長さは、側面の円の面積に比例することになる。
【００６３】
そこで、実画像表示制御部４０５は、側面の円の面積がＳ１２だとロール紙の長さがＬ１２と分かっている場合に、ユーザが指し示した位置を円周とする円の面積Ｓ１１を算出し、Ｌ１１＝Ｌ１２÷Ｓ１２×Ｓ１１を計算してロール紙の長さＬ１１を求める。実画像表示制御部４０５は、例えば画像群Ｇ０１の画像形成が終了したときに取得されたロール紙の半径からＳ１２を算出し、画像群Ｇ０１の頁数及びサイズからＬ１２を算出する。この方法であれば、図６に表すロール紙長さテーブルが不要になる。
【００６４】
［２−５］ページ数の算出
実画像表示制御部４０５は、ユーザが指し示した位置までのロール紙の長さを算出する代わりに、その位置に形成されている画像の頁数を算出してもよい。実画像表示制御部４０５は、例えば図６に表すロール紙長さテーブルの代わりに指示位置情報と頁数とを対応付けた頁数テーブルを用いる。
【００６５】
図１５は頁数テーブルの一例を表す。図１５の例では、指示位置情報が「５ｃｍ」だと「０」頁、「５５ｃｍ」だと「２４００」頁、「１１０ｃｍ」だと「９０００」頁というように対応付けがされた頁数テーブルが表されている。実画像表示制御部４０５は、実施例でロール紙長さテーブルを用いてロール紙の長さを算出したときと同様にして、取得された指示位置情報と頁数テーブルとを用いて、ユーザにより指し示された位置に形成されている画像の頁数を算出し、その頁（画像群Ｇ０１から累計した頁となる）の画像を実画像として表示させる。また、例えば上記変形例と同様に巻き芯の径が無視できるほど小さいものとみなせる場合であれば、実画像表示制御部４０５は、側面の円の面積に基づいて頁数を算出し、算出した頁の画像を実画像として表示させてもよい。
【００６６】
［２−６］ロール紙長さを測定するセンサ
上記の実施例及び変形例ではロール紙に形成された画像のサイズ及び枚数からロール紙の長さを算出したが、ロール紙の長さを測定するためのセンサが用いられてもよい。
図１６は本変形例の画像形成システム１ａの全体構成を表す。画像形成システム１ａが備える用紙供給装置１０ａは、ロール紙Ｐ１の走行距離を測定するためのセンサ部１３を備えている。
【００６７】
センサ部１３は、例えば搬送部１２のローラの回転数を測定する回転数センサを備え、ローラの回転数を測定する。例えば実画像表示制御部４０５は、測定された回転数にローラの円周の長さを乗じた値をロール紙Ｐ１の走行距離、すなわち搬送されたロール紙の長さとして算出する。これにより、上述した空白部が発生した場合でもロール紙の長さが算出される。なお、センサ部１３が備えるセンサは、回転数センサに限らず、ロール紙の長さの算出に用いられるものであれば光学センサなどの他のセンサであってもよい。
【００６８】
［２−７］各機能を実現する装置
図３に表す各部はＵＩ装置４０以外の装置（例えば画像形成装置２０が備えるコントローラや、通信回線を介して画像形成装置２０に接続されるクライアント端末など）によって実現されてもよい。要するに、ロール紙の径や指示位置などの情報を処理して図３に表す各部の動作を行うことが可能であれば、どのような情報処理装置によってこれらの各部が実現されてもよい。
【００６９】
［２−８］発明のカテゴリ
本発明は、ＵＩ端末のような情報処理装置及びその情報処理装置を備える画像形成システムとして捉えられる。また、その情報処理装置を制御するコンピュータが実施する処理を実現するための処理方法や、そのコンピュータを図３に表す各部として機能させるためのプログラムとしても捉えられる。このプログラムは、それを記憶させた光ディスク等の記録媒体の形態や、インターネット等の通信回線を介してコンピュータにダウンロード及びインストールさせて利用可能にするなどの形態で提供される。
【符号の説明】
【００７０】
１…画像形成システム、１０…用紙供給装置、１３、３３…センサ部、２０…画像形成装置、３０…用紙巻取装置、４０…ＵＩ装置、４７…ＵＩ部、４０１…画像形成制御部、４０２…ロール紙径取得部、４０３…ロール紙画像表示制御部、４０４…指示位置情報取得部、４０５…実画像表示制御部。
【図１】
0006520609.tif 000002
【図２】
0006520609.tif 000003
【図３】
0006520609.tif 000004
【図４】
0006520609.tif 000005
【図５】
0006520609.tif 000006
【図６】
0006520609.tif 000007
【図７】
0006520609.tif 000008
【図８】
0006520609.tif 000009
【図９】
0006520609.tif 000010
【図１０】
0006520609.tif 000011
【図１１】
0006520609.tif 000012
【図１２】
0006520609.tif 000013
【図１３】
0006520609.tif 000014
【図１４】
0006520609.tif 000015
【図１５】
0006520609.tif 000016
【図１６】
0006520609.tif 000017